(57)【要約】【課題】  薄型化を図りうるマウスを提供する。【解決手段】  第一ケースと、第二ケースと、第一ケースと第二ケースを連接し合わせる連動部材を具備する。前記第二ケースは前記第一ケースとは対向し回転し、前記マウスの外形を変える。【選択図】  図１
2007241979.tif 000002
【特許請求の範囲】
【請求項１】
薄型マウスは、
第一前側部と第一後側部を有し、前記第一後側部に第一傾斜面を有する第一ケースと、
第二前側部と第二後側部を有し、前記第二前側部に第二傾斜面を有する第二ケースと、
軸で前記第一傾斜面と前記第二傾斜面を接続し、前記第二ケースを前記軸により回転させる連動部材とを含むことを特徴とする薄型マウス。
【請求項２】
前記連動部材がさらに第一固定板と第二固定板を有し、前記軸は前記第一固定板と前記第二板の間に位置し、前記第二固定板が前記一固定板と対面しており、回転することを特徴とする請求項1に記載する薄型マウス。
【請求項３】
前記連動部材がさらに貫通穴を含むことを特徴とする請求項１に記載する薄型マウス。
【請求項４】
前記第一傾斜面が第一溝口を含み、前記第二傾斜面が第二溝口を含み、且つ、前記軸は第一溝口と第二溝口の中に位置することを特徴とする請求項１に記載する薄型マウス。
【請求項５】
前記第一ケースがカーソル制御信号を発生するための光学検知器を含み、前記第二ケースが少なくとも一つのバッテリーを前記マウスのバッテリー収納空間に収納できることを特徴とする請求項１に記載する薄型マウス。
【発明の詳細な説明】
【技術分野】
【０００１】
本発明は薄型マウスに関し、特に回転可能なケースを有する薄型マウスに関する。
【背景技術】
【０００２】
近年、パソコンの機能は多様化の方向に発展しており、早い時期によく見られたワードプロセッサーの機能以外に、今日のコンピューターでは
プレゼンテーション用のパワーポイント、もしくは娯楽用のオーディオビデオといったツールがよく使われている。
【０００３】
パソコンの多様化する機能に対応するために、従来のマウスは、カーソル制御機能のほか、パワーポイントやオーディオビデオ制御用リモートコントローラーといった、特別な機能のキーがしばしば設定されている。
【０００４】
コンピューターがカーソル制御装置として使用される際、ユーザーはデスクの上でマウスを動かすことによって、カーソルの移動を行う。かつ、マウスがリモコンとして使用される際、ユーザーは手でマウスを握り、かつ、制御キーを解除することによって、操作指令を入力する。
【０００５】
マウスとリモコンの二種類の使用モードについて、ユーザーがマウスに求める外形はそれぞれ異なる。マウスがデスクの上を移動し、制御カーソルを移動させる際には、手の平が握るマウスの表面は水平ではなく、角度が必要であり、それでこそ、手の平を支えることができる。しかし一方、マウスがリモコンとして使用される際には、ユーザーにとって、マウスは従来のリモコンのような平たい形が求められる。
【０００６】
言い換えると、以上のマウスの備える２つの機能が、事実上、マウスの外形の薄型化を制限している。なぜなら、もしマウスのケースを薄くしすぎると、ユーザーがデスクの上でマウスを動かす際、人工力学の観点から適さないからである。もし人工力学に合致させてマウスを大きくし、握る面の角度を高くしすぎると、マウスをリモコンとして用いる際、持ち心地がよくないからである。
【０００７】
そこで、新しい薄型マウスによって、以上の問題点を解決する必要がある。
【発明の開示】
【発明が解決しようとする課題】
【０００８】
本発明の目的は、薄型マウスに関し、マウスのバッテリー収納空間をマウス本体のケースと対向させ、回転させることができることにより、マウスの薄型化の目的を達成する。
【課題を解決するための手段】
【０００９】
本発明は薄型マウスに関し、第一前側部と第一後側部を有し、前記第一後側部に第一傾斜面を有する第一ケースと、第二前側部と第二後側部を有し、前記第二前側部に第二傾斜面を有する第二ケースと、軸で前記第一傾斜面と前記第二傾斜面を接続し、前記第二ケースが前記軸により回転する連動部材とを含む。
【００１０】
さらに、前記連動部材は貫通孔を含む。
【００１１】
さらに、前記連動部材がさらに第一固定板と第二固定板を有し、前記軸は前記第一固定板と前記第二板の間に位置し、前記第二固定板が前記一固定板と対面し回転することができる。
【００１２】
さらに、前記第一傾斜面が第一溝口を含み、前記第二傾斜面が第二溝口を含み、且つ、前記軸は第一溝口内と第二溝口内に位置する。
【００１３】
さらに、前記第一ケースがカーソル制御信号を発生するための光学検知器を含み、前記第二ケースが少なくとも一つのバッテリーを前記マウスのバッテリー収納空間に収納することができる。
【発明を実施するための最良の形態】
【００１４】
［実施例］
図１は本発明の好ましい実施例の概略図である。本発明のマウス1000は第一ケース100、第二ケース200、連動部品300を含む。その第二ケース200は第一ケース100と対向し、回転する。第一ケース100は第一前側部101と第一後側部102を有する。第二ケースは第二前側部201と第二後側部202を有する。このほかに、第一後側部102は第一斜面1021を有し、一方、第二前側部は第二斜面2011を有する。その第一斜面1021は第一溝口10211を有し、一方、第二斜面は第二溝口20111を有する。（図２参照）
【００１５】
図２は、本発明の薄型マウスの底面図である。第一ケース100の中には、マウスを構成する関連部品が収納されており、たとえば、デスクの経路変化を感知することで、カーソル制御信号を発生させる光学検知器などである。また、第二ケース200はマウス1000に必要なバッテリー500を収納する。
【００１６】
図３は、本発明の連動部品300の好ましい実施例の概略図である。図３の連動部品300は軸301、第一固定板301、第二固定板303を含む。このほかに、前記軸301はさらに貫通穴3011を含む。その第一固定板302と第二固定板303は軸301によって連接しており、かつ第二固定板303が第一固定板302と向かい合って回転することができる。
【００１７】
図２に示すように、連動部品300の貫通穴3011は第二ケース200内のリード600をその中に通し、第一ケース内の部品と連接させ、第一ケース100と第二ケース200の間を電気的に接続することができる。
【００１８】
図１及び図３に示すように、連動部品300の第一固定板302が第一斜面1021に固定され、また第二固定板3は第二斜面2011に固定される。連動部品300の軸301は第一斜面1021の第一溝口10211と第二斜面の第二溝口20111内に位置する。このようにして、第二ケース200を軸301により第一ケースと対面させ、回転させることができる。第二ケース200が図１の状態から１８０度回転させられた後、第一ケース100、第二ケース200と連動部品300の状態は図４のようである。本発明のマウスの操作に関しては、図５の（Ａ）から（Ｃ）で説明する。
【００１９】
図５の（Ａ）から（Ｃ）は、本発明のマウスの操作の概略図である。マウスを使わずに画面を移動しカーソルを制御する際、第一ケース100の第一斜面1021と第二ケース200の第二斜面2011はお互いに接触し、またマウス1000は平たい外形をしているのが、図５（Ａ）である。
【００２０】
ユーザーがデスクの上でマウスを移動させる際、第二ケース200を１８０度回転させることができるのが、図５（Ｂ）である。回転完了後、図５の（Ｃ）のように、第一ケース100の第一斜面1021と第二ケース200の第二斜面2011が再び一緒に接触し、第二斜面2011が既に１８０度回転しているので、このときの第一斜面1021と第二斜面2011はマウスの外形を突起させ（点線の示すところ）、ユーザーは手の平をこの突起のある表面に置いて、マウスを操作することができる。
【００２１】
もちろん、ユーザーが使用しない際には、第二ケース200を１８０度回転させ、マウスを元の平たい外形に戻すことができる。
【００２２】
言い換えると、第一ケースと第二ケースが斜面を両者の接触面とし、かつ第二ケースが第一ケースと対面し回転することができるので、本発明のマウスは外形を薄くできるだけではなく、同時に、操作する際の人工力学的視点に合致している。
【００２３】
以上に述べたのは、本発明の好ましい実施例に過ぎず、本発明の請求項を限定するものではなく、また本発明の技術思想は広くその他の類似のテストシステムに応用されることができるので、そこで、本発明の掲示する精神から逸脱しない範囲で実現する同等の変更や修正は、共に本発明の請求項内に含めなければならない。
【図面の簡単な説明】
【００２４】
【図１】本発明の薄型マウスの好ましい実施例の概略図である。
【図２】図１の実施例の底面図である。
【図３】本発明の連動部品の好ましい実施例の概略図である。
【図４】図１の実施例の第二ケースが１８０度回転した後の概略図である。
【図５（Ａ）】本発明の薄型マウスの操作の概略図である。
【図５（Ｂ）】本発明の薄型マウスの操作の概略図である。
【図５（Ｃ）】本発明の薄型マウスの操作の概略図である。
【符号の説明】
【００２５】
１００      第一ケース
１０１      第一前側部
１０２      第一後側部
１０２１    第一傾斜面
１０２１１  第一溝口
２００      第二ケース
２０１      第二前側部
２０１１    第二傾斜面
２０１１１  第二溝口
２０２      第二後側部
３００      連動部材
３０１      軸
３０１１    貫通穴
３０２      第一固定板
３０３      第二固定板
５００      バッテリー
６００      リード
１０００    本発明のマウス
【図１】
2007241979.tif 000003
【図２】
2007241979.tif 000004
【図３】
2007241979.tif 000005
【図４】
2007241979.tif 000006
【図５（Ａ）】
2007241979.tif 000007
【図５（Ｂ）】
2007241979.tif 000008
【図５（Ｃ）】
2007241979.tif 000009